(57)【特許請求の範囲】
【請求項１】
光ネットワークを構成する光リンクと光ノード装置の情報であるネットワーク情報を格納するネットワーク情報格納手段と、
トラフィック要求を受付け、前記トラフィック要求を収容する複数種類の光パスのそれぞれの伝送条件を、前記ネットワーク情報および前記トラフィック要求に基づいて、同一の伝送条件となる前記光パスの種類数が最大となるように決定する光パス設計手段、とを有し、
前記光パス設計手段は、前記光ノード装置における、前記同一の伝送条件となる前記複数種類の光パスの生成方式を、一の光送受信器が出力する光信号を分岐して複数の光信号を生成する方式に決定する
光ネットワーク制御装置。
【請求項２】
前記光パス設計手段は、
前記トラフィック要求と前記ネットワーク情報から、前記光ネットワークの経路を算出する経路探索手段と、
前記経路の経路長に応じて、許容される光信号品質の劣化量である許容信号対雑音比を算出する信号対雑音比算出手段と、
前記トラフィック要求に含まれる伝送容量と前記許容信号対雑音比に基づいて、前記複数種類の光パスのそれぞれの前記伝送条件を決定する伝送条件決定手段、とを備える
請求項１に記載した光ネットワーク制御装置。
【請求項３】
前記伝送条件決定手段は、前記ネットワーク情報に含まれる前記光リンクにおける光周波数帯域の使用率情報および前記許容信号対雑音比の余裕度の少なくとも一方に基づいて、前記伝送条件を決定する
請求項２に記載した光ネットワーク制御装置。
【請求項４】
トラフィック要求を収容する複数種類の光パスのそれぞれの伝送条件であって、同一の伝送条件となる前記光パスの種類数が最大となるように決定された伝送条件に応じて、出力する光信号の変調方式および使用する光周波数帯域幅を可変する機能を有し、
前記同一の伝送条件となる前記複数種類の光パスを、一の光送受信器が出力する光信号を分岐して複数の光信号を生成することにより生成する
光ノード装置。
【請求項５】
任意の容量のクライアント信号を、前記容量に応じた変調方式を用いて収容した光信号を送出する光送受信器と、
前記光送受信器に入出力する光信号を、分岐する動作およびスイッチする動作のいずれかを行う光分岐スイッチ手段と、
前記決定された伝送条件に基づいて、前記光送受信器と前記光分岐スイッチ手段をそれぞれ制御する光ノード制御手段、とを有する
請求項４に記載した光ノード装置。
【請求項６】
前記光ノード制御手段は、一の前記光送受信器が出力する光信号を前記光分岐スイッチ手段によって分岐して複数の光信号を生成するように、前記光送受信器および前記光分岐スイッチ手段を制御する
請求項５に記載した光ノード装置。
【請求項７】
前記光ノード制御手段は、複数の前記光送受信器を用いて複数の光信号を生成するように、前記光送受信器および前記光分岐スイッチ手段を制御する
請求項５に記載した光ノード装置。
【請求項８】
光ネットワークを構成する光リンクと光ノード装置の情報であるネットワーク情報と、トラフィック要求を取得し、
前記トラフィック要求を収容する複数種類の光パスのそれぞれの伝送条件を、前記ネットワーク情報および前記トラフィック要求に基づいて、同一の伝送条件となる前記光パスの種類数が最大となるように決定し、
前記光ノード装置における、前記同一の伝送条件となる前記複数種類の光パスの生成方式を、一の光送受信器が出力する光信号を分岐して複数の光信号を生成する方式に決定する
光ネットワーク制御方法。
【請求項９】
前記伝送条件を決定する際に、
前記トラフィック要求と前記ネットワーク情報から、前記光ネットワークの経路を算出し、
前記経路の経路長に応じて、許容される光信号品質の劣化量である許容信号対雑音比を算出し、
前記トラフィック要求に含まれる伝送容量と前記許容信号対雑音比に基づいて、前記複数種類の光パスのそれぞれの伝送条件を決定する
請求項８に記載した光ネットワーク制御方法。
【発明の詳細な説明】
【技術分野】
【０００１】
本発明は、光ネットワーク制御装置、光ノード装置、および光ネットワーク制御方法に関し、特に、エラスティック光ネットワーク技術を用いた光ネットワーク制御装置、光ノード装置、および光ネットワーク制御方法に関する。
【背景技術】
【０００２】
ビデオストリーミングサービスに代表される、情報容量の大きな動画コンテンツのサービスが急速に増加している。そのため、ネットワーク内の通信トラフィック容量が急激に拡大している。さらに、このような大容量のコンテンツを処理する高機能移動端末が急速に普及していることにより、時間や場所の変化に対する通信トラフィックの変動量が拡大している。今後も、インターネット・オブ・シングス（Ｉｎｔｅｒｎｅｔ  ｏｆ  Ｔｈｉｎｇｓ：ＩｏＴ）技術が示すように、あらゆるデジタル機器が通信機能を備えるようになると、このような傾向はさらに顕著になると予想される。このような環境下においても、ネットワークは高信頼な接続性を備えた通信機能を提供する社会基盤としての役割を果たす必要がある。
【０００３】
上述した環境の変化を背景として、新しいネットワークの概念やネットワークの運用方法が検討されている（例えば、特許文献１を参照）。以下では、新しいネットワークの概念であるエラスティック光ネットワーク技術と、ダイナミックなネットワークの運用方法について説明する。
【０００４】
エラスティック光ネットワーク技術は、光ファイバ内の波長資源をより柔軟に活用することを可能にする。すなわち、エラスティック光ネットワーク技術は、従来は固定であった光信号の変調方式を可変とすることによって、転送対地までの伝送距離とその伝送スループットに応じて最小限の波長資源で伝送することを可能とする。それによって、光ファイバなどの光ネットワーク資源の利用効率を最大化することができる。可変である変調方式には、例えばＱＰＳＫ（Ｑｕａｄｒａｔｕｒｅ  Ｐｈａｓｅ  Ｓｈｉｆｔ  Ｋｅｙｉｎｇ）方式、８ＱＡＭ（８  Ｑｕａｄｒａｔｕｒｅ  Ａｍｐｌｉｔｕｄｅ  Ｍｏｄｕｌａｔｉｏｎ）方式、および１６ＱＡＭ（１６  Ｑｕａｄｒａｔｕｒｅ  Ａｍｐｌｉｔｕｄｅ  Ｍｏｄｕｌａｔｉｏｎ）方式などが含まれる。
【０００５】
また、エラスティック光ネットワーク技術のもう一つの特徴は、従来は１００ギガヘルツ（ＧＨｚ）または５０ＧＨｚといった固定グリッドであったのに対して、１２．５ＧＨｚという粒度の細かい周波数スロットの概念を導入したことである。これにより、使用する波長資源の粒度を向上させることができる。その結果、同一の変調方式であってもスペクトル形状をシェーピングすることにより、使用する周波数帯域幅を細かい粒度で設定することが可能になる。
【０００６】
一方、ネットワークの運用方法に関しては、従来は固定的な運用であったのに対して、動的にネットワークを運用することが検討されている。この理由は、ネットワークに収容するクライアントの通信トラフィックの変動量が拡大しているからである。光ネットワークをダイナミックに運用することによって、時間的に変動する通信リクエスト量に応じて過不足なくネットワーク資源を割り当てることが可能になる。これによりネットワーク資源の無駄な使用を削減し、ネットワーク資源の利用効率を向上させることができる。
【先行技術文献】
【特許文献】
【０００７】
【特許文献１】国際公開第２０１１／０３０８９７号
【発明の概要】
【発明が解決しようとする課題】
【０００８】
光ネットワークにおいては、光パスの種類、例えば冗長化構成における運用系光パスと冗長系光パスによって、設定される通信経路長に応じて許容信号対雑音比が異なる。ここで許容信号対雑音比とは、許容される光信号品質の劣化量である。運用系光パスと冗長系光パスの通信経路長が異なる場合、上述したエラスティック光ネットワーク技術を導入した光ネットワーク（エラスティック光ネットワーク）においては、運用系光パスと冗長系光パスで使用する変調方式を異なる方式とすることができる。これにより、光ファイバ内の波長資源の使用量を最小化し、光ネットワーク資源の利用効率を最大化することができる。
【０００９】
しかしながら、使用する変調方式が異なると、運用系光パスを光分岐および光スイッチングすることによって冗長系光パスを生成することができない。すなわち、運用系光パスと冗長系光パスで光ノード装置が備える光送受信器を共有することができない。そのため、設定される可能性がある経路に対応して、光送受信器を余分に備える必要がある。その結果、光ノード装置のコストが増大する。
【００１０】
このように、複数種類の光パスが設定されるエラスティック光ネットワークにおいては、光ネットワーク資源の利用効率を向上させると光ノード装置のコストが増大するという問題があった。
【００１１】
本発明の目的は、上述した課題である、複数種類の光パスが設定されるエラスティック光ネットワークにおいては、光ネットワーク資源の利用効率を向上させると光ノード装置のコストが増大する、という課題を解決する光ネットワーク制御装置、光ノード装置、および光ネットワーク制御方法を提供することにある。
【課題を解決するための手段】
【００１２】
本発明の光ネットワーク制御装置は、光ネットワークを構成する光リンクと光ノード装置の情報であるネットワーク情報を格納するネットワーク情報格納手段と、トラフィック要求を受付け、トラフィック要求を収容する複数種類の光パスのそれぞれの伝送条件を、ネットワーク情報およびトラフィック要求に基づいて、同一の伝送条件となる光パスの種類数が最大となるように決定する光パス設計手段、とを有する。
【００１３】
本発明の光ノード装置は、トラフィック要求を収容する複数種類の光パスのそれぞれの伝送条件であって、同一の伝送条件となる光パスの種類数が最大となるように決定された伝送条件に応じて、出力する光信号の変調方式および使用する光周波数帯域幅を可変する機能を有する。
【００１４】
本発明の光ネットワーク制御方法は、光ネットワークを構成する光リンクと光ノード装置の情報であるネットワーク情報と、トラフィック要求を取得し、トラフィック要求を収容する複数種類の光パスのそれぞれの伝送条件を、ネットワーク情報およびトラフィック要求に基づいて、同一の伝送条件となる光パスの種類数が最大となるように決定する。
【発明の効果】
【００１５】
本発明の光ネットワーク制御装置、光ノード装置、および光ネットワーク制御方法によれば、複数種類の光パスが設定されるエラスティック光ネットワークにおいて、光ノード装置のコストの増大を抑制することができる。
【図面の簡単な説明】
【００１６】
【図１】本発明の第１の実施形態に係る光ネットワーク制御装置の構成を示すブロック図である。
【図２Ａ】本発明の第２の実施形態に係る光ノード装置の構成、および光ネットワーク制御装置と光ノード装置からなる光ネットワークシステムの構成を示すブロック図である。
【図２Ｂ】本発明の第２の実施形態に係る光ノード装置が備える光送受信器の構成を模式的に示すブロック図である。
【図３】本発明の第２の実施形態に係る光ネットワーク制御装置の構成を示すブロック図である。
【図４】本発明の第２の実施形態に係る光ネットワーク制御装置が備える設定テーブルの構成を模式的に示す図である。
【図５】本発明の第２の実施形態に係る光ネットワーク制御装置が備える設定テーブルの構成を模式的に示す図であって、２種類の光パスが同じ領域内に設定される場合を示す。
【図６】本発明の第２の実施形態に係る光ネットワーク制御装置が備える伝送条件決定部の動作を説明するためのフローチャートである。
【図７】本発明の第３の実施形態に係る光ネットワーク制御装置が備える設定テーブルの構成を模式的に示す図であって、２種類の光パスが異なる領域に設定される場合を示す。
【図８】本発明の第３の実施形態に係る光ネットワーク制御装置が備える伝送条件決定部の動作を説明するためのフローチャートである。
【図９】本発明の第３の実施形態に係る光ネットワーク制御装置が備える設定テーブルの構成を模式的に示す図であって、変更された後の設定テーブルの構成を示す。
【図１０】本発明の第３の実施形態に係る光ネットワーク制御装置が備える設定テーブルの構成を模式的に示す図であって、変更された後の設定テーブルの別の構成を示す。
【図１１】本発明の第４の実施形態に係る光ネットワーク制御装置が備える設定テーブルの構成を模式的に示す図であって、３種類の光パスが異なる領域に設定される場合を示す。
【図１２】本発明の第４の実施形態に係る光ネットワーク制御装置が備える伝送条件決定部の動作を説明するためのフローチャートである。
【発明を実施するための形態】
【００１７】
以下に、図面を参照しながら、本発明の実施形態について説明する。
【００１８】
〔第１の実施形態〕
図１は、本発明の第１の実施形態に係る光ネットワーク制御装置１００の構成を示すブロック図である。光ネットワーク制御装置１００は、ネットワーク情報格納手段１１０と光パス設計手段１２０とを有する。この光ネットワーク制御装置１００は、伝送距離および伝送容量（スループット）に応じて光信号の変調方式を設定可能なエラスティック光ネットワークに用いられる。
【００１９】
ネットワーク情報格納手段１１０は、光ネットワークを構成する光リンクと光ノード装置の情報であるネットワーク情報を格納する。光パス設計手段１２０は、トラフィック要求を受付け、トラフィック要求を収容する複数種類の光パスのそれぞれの伝送条件を、ネットワーク情報およびトラフィック要求に基づいて、同一の伝送条件となる光パスの種類数が最大となるように決定する。
【００２０】
同一の伝送条件となる複数種類の光パスでは、光ノード装置が備える光送受信器を共有することが可能である。したがって、上述した構成とすることにより、本実施形態による光ネットワーク制御装置１００によれば、複数種類の光パスが設定されるエラスティック光ネットワークにおいて、光ノード装置のコストの増大を抑制することができる。
【００２１】
ここで、光パス設計手段１２０は、決定した伝送条件に基づいて、光ノード装置における複数種類の光パスの生成方式を決定する構成とすることができる。例えば、光パス設計手段１２０は、目的地が同じで経路が異なる二つのルートへ送出する光信号を共有する方式を決定する。具体的には光パス設計手段１２０は、一の光送受信器が出力する光信号を分岐して複数の光信号を生成するか、複数の光送受信器を用いて複数の光信号を生成するか、のいずれかに決定する構成とすることができる。
【００２２】
なお、上述した伝送条件は、少なくとも変調方式を含み、さらに、使用する光周波数帯域幅を含むこととしてもよい。
【００２３】
次に、本実施形態による光ネットワーク制御方法について説明する。本実施形態による光ネットワーク制御方法においては、まず、光ネットワークを構成する光リンクと光ノード装置の情報であるネットワーク情報と、トラフィック要求を取得する。そして、このトラフィック要求を収容する複数種類の光パスのそれぞれの伝送条件を、ネットワーク情報およびトラフィック要求に基づいて、同一の伝送条件となる光パスの種類数が最大となるように決定する。
【００２４】
上述したように、同一の伝送条件となる複数種類の光パスでは、光ノード装置が備える光送受信器を共有することが可能である。したがって、本実施形態による光ネットワーク制御方法によれば、複数種類の光パスが設定されるエラスティック光ネットワークにおいて、光ノード装置のコストの増大を抑制することができる。
【００２５】
〔第２の実施形態〕
次に、本発明の第２の実施形態について説明する。図２Ａに、本実施形態に係る光ノード装置４００の構成、および本実施形態に係る光ネットワーク制御装置３００と光ノード装置４００からなる光ネットワークシステム２００の構成を示す。
【００２６】
光ネットワーク制御装置３００は、クライアントからの通信リクエストに対して光ネットワークの経路や伝送パラメータを策定し、光ノード装置４００を制御する。光ノード装置４００は、出力する光信号の変調方式および使用する光周波数帯域幅を可変する機能を有する。このとき、光ノード装置４００は、トラフィック要求を収容する複数種類の光パスのそれぞれの伝送条件であって、同一の伝送条件となる光パスの種類数が最大となるように決定された伝送条件に応じて、変調方式および使用する光周波数帯域幅を可変する。なお、本実施形態では、複数種類の光パスとして冗長化構成における運用系光パス１０および冗長系光パス１１、１２を設定する場合について説明する。
【００２７】
光ノード装置４００は、光送受信器４１０、光分岐スイッチ部（光分岐スイッチ手段）４２０、クライアント処理部４３０、および光ノード制御部（光ノード制御手段）４４０を有する。
【００２８】
光送受信器４１０は、任意の容量のクライアント信号を、容量に応じた変調方式を用いて収容した光信号を送出する。光送受信器４１０は図２Ｂに示すように、クライアントインターフェース４１１、フレーマ４１２、およびラインインターフェース４１３を備える。光送受信器４１０は、クライアントインターフェース４１１でクライアント信号を収容し、広域転送用のフレーマ４１２においてフレーム化処理を行い、その後にラインインターフェース４１３により光信号を広域ネットワークへ転送する。ここで、ラインインターフェース４１３は１個のレーザダイオード（Ｌａｓｅｒ  Ｄｉｏｄｅ：ＬＤ）を備えているので、１台の光送受信器４１０あたり１種類の光キャリアを広域ネットワークへ送信することが可能である。
【００２９】
光送受信器４１０が備える上述した３個の機能部が、クライアント容量に対して可変な収容機能を実現する。すなわち、クライアントインターフェース４１１は、任意の容量を収容する機能を有する。広域転送用のフレーマ４１２は、可変な容量に対して、そのサイズに合わせてフレーム化処理を行う機能を有する。そしてラインインターフェース４１３は、可変容量に応じて変調方式を可変に設定することができる。
【００３０】
ここで対象となる変調方式には、ＱＰＳＫ変調方式、８ＱＡＭ変調方式、および１６ＱＡＭ変調方式が含まれる。このうち、１６ＱＡＭ変調方式による光信号が最も信号多値度が大きいため伝送可能な距離は最も短いが、光周波数利用効率は最も大きい。一方、ＱＰＳＫ変調方式による光信号は、信号多値度が小さいため伝送距離は最も長いが、光周波数利用効率は最も小さい。
【００３１】
光送受信器４１０の伝送容量や変調方式は、光ノード制御部４４０を介して光ネットワーク制御装置３００によって制御される。具体的には、短い経路パスに対しては、１６ＱＡＭのような高多値度の変調方式が割り当てられる。一方、長い経路パスに対しては、ＱＰＳＫのような低多値度の変調方式が割り当てられる。これにより、経路と伝送容量が異なる通信リクエストを、それぞれ最小の光周波数帯域で伝送することが可能になる。
【００３２】
光分岐スイッチ部４２０は、光送受信器４１０に入出力する光信号を分岐する動作およびスイッチする動作のいずれかを行う。光信号を２分岐することによって、運用系光パスから冗長系光パスを生成することができる。また、障害発生時に光信号の行先をスイッチすることにより、運用系光パスから冗長系光パスに切り替えることも可能となる。
【００３３】
光分岐スイッチ部４２０は、すべての入出力のポート間においてノンブロッキングで接続する必要がある。このためには例えば、一般的に用いられるマルチキャストスイッチなどを使用することができる。マルチキャストスイッチは光信号を一度分岐してから出力ポートを選択するため、ノンブロッキングの機能を備えているからである。
【００３４】
クライアント処理部４３０は、ＯＳＩ（Ｏｐｅｎ  Ｓｙｓｔｅｍｓ  Ｉｎｔｅｒｃｏｎｎｅｃｔｉｏｎ）参照モデルにおけるレイヤ１からレイヤ３までの様々な粒度のクライアントデータを収容し処理する。そして、電気信号またはクライアントの光信号の状態で運用系の信号から冗長系の信号を生成する機能を備えている。
【００３５】
光ノード制御部４４０は、光ネットワーク制御装置３００から送付された設定制御コマンドに基づいて、光ノード装置４００が備える光送受信器４１０、光分岐スイッチ部４２０、およびクライアント処理部４３０を制御する。
【００３６】
ここで、光ノード制御部４４０は、一の光送受信器４１０が出力する光信号を光分岐スイッチ部４２０によって分岐して複数の光信号を生成するように、光送受信器４１０および光分岐スイッチ部４２０を制御する。これに限らず、光ノード制御部４４０は、複数の光送受信器４１０を用いて複数の光信号を生成するように、光送受信器４１０および光分岐スイッチ部４２０を制御することもできる。
【００３７】
光ネットワーク制御装置３００は、運用系と冗長系の経路情報やそれらのスループット情報から、必要な光送受信器４１０の個数、すなわち光キャリアの個数や、変調方式などの伝送条件、および冗長構成方式を設定する。光ノード制御部４４０は、この設定制御コマンドに基づき、光ノード装置４００内の接続ポート管理情報を用いて駆動対象となる光送受信器４１０、光分岐スイッチ部４２０、およびクライアント処理部４３０の設定を行う。
【００３８】
また、光ノード制御部４４０は、光ノード装置４００が備える各機能部の稼働状況を光ネットワーク制御装置３００に通知する。
【００３９】
図３に、光ネットワーク制御装置３００の構成を示す。光ネットワーク制御装置３００は、ネットワーク情報格納手段としてのデータベース部３１０、光パス設計部（光パス設計手段）３２０、および光パス割当制御部３３０を有する。
【００４０】
データベース部３１０は、既設の光パスおよびリンクの情報を格納するパス／リンク情報格納部３１１と、光ノード装置４００のリソース情報を格納する光ノード情報格納部３１２を備える。
【００４１】
光パス設計部３２０は、経路探索部（経路探索手段）３２１、信号対雑音比算出部（信号対雑音比算出手段）３２２、伝送条件決定部（伝送条件決定手段）３２３、および割当順序決定部３２４を備える。
【００４２】
経路探索部３２１は、クライアントからのトラフィック要求２０とデータベース部３１０が格納している上述のネットワーク情報とから、光ネットワークの経路を算出する。経路の算出には、ファーストフィット（Ｆｉｒｓｔ−Ｆｉｔ）アルゴリズムやモストユースト（Ｍｏｓｔ−Ｕｓｅｄ）アルゴリズムなどを用いることができるが、その割り当てアルゴリズムは特に限定されない。
【００４３】
信号対雑音比算出部３２２は、算出した経路の経路長から、許容される光信号品質の劣化量である許容信号対雑音比を算出する。
【００４４】
伝送条件決定部３２３は、この許容信号対雑音比とトラフィック要求２０に含まれる伝送容量に基づいて、複数種類の光パスのそれぞれの伝送条件を決定する。このとき伝送条件決定部３２３は、同一の伝送条件となる光パスの種類数が最大となるように伝送条件を決定する。伝送条件決定部３２３は、具体的には例えば、経路長に基づいて算出される許容信号対雑音比と要求される伝送容量とを指標として、光送受信器４１０の変調方式と必要となる光送受信器４１０の個数、すなわち光キャリアの個数を設定するテーブルを備える。
【００４５】
図４に、伝送条件決定部３２３が備える、上述した光送受信器の条件を設定するテーブルの構成を模式的に示す。同図の横軸はスループット（伝送容量）を、縦軸は許容信号対雑音比を示す。同図中の各領域に、光送受信器４１０に設定する変調方式や必要となる光送受信器の個数に関する情報を保有する。具体的には例えば、領域３１には、ＱＰＳＫ変調方式を採用し光送受信器を３台（光キャリアを３個）使用するという情報が保持される。また、領域３２には、８ＱＡＭ変調方式を採用し光送受信器を２台（光キャリアを２個）使用するという情報が保持される。そして領域３３には、１６ＱＡＭ変調方式を採用し光送受信器を１台（光キャリアを１個）使用するという情報が保持されている。
【００４６】
縦軸に示した許容信号対雑音比の値が大きい場合（縦軸のＨ方向）、高多値度の伝送が可能である。これとは逆に、許容信号対雑音比の値が小さい場合（縦軸のＪ方向）、低多値度での伝送が必要となる。ここで、光送受信器４１０の変調方式および必要となる光送受信器の個数（光キャリアの個数）は、使用する光周波数帯域が最小となるように設定される。すなわち、変調方式等の伝送条件は、スループット（横軸）と許容信号対雑音比（縦軸）から定まるが、光信号を伝送するために必要な光周波数帯域幅は、領域３３の条件で最も小さくなり、領域３２、領域３１の順に大きくなる。したがって、図４中の２軸で決まる伝送条件のうち、縦軸上方にある領域の伝送条件が選択される。
【００４７】
上述したように、エラスティック光ネットワークにおいては、伝送容量と許容される信号対雑音比に応じて、変調方式や使用する光キャリア数を適応的に変更することができる。そのため、設定テーブルは図４に示すように複数の設定領域から構成される。したがって、例えば、所定のトラフィック要求に基づいて「Ｄ」で示したスループットを伝送する場合、許容される信号対雑音比（許容信号対雑音比）に応じて、３通りの領域（３１、３２、３３）を設定することが可能である。
【００４８】
領域３１においては、許容される信号対雑音比が小さいため、多値度の低い変調方式（例えばＱＰＳＫ方式）を採用する必要がある。一方、要求される伝送容量を満たすために必要となる光送受信器の個数（光キャリアの個数）は３個と多くなる。領域３３においては、許容される信号対雑音比が大きいため、多値度の高い変調方式（例えば１６ＱＡＭ方式）を採用することができる。この場合、必要となる光送受信器の個数（光キャリアの個数）は少なくなる。領域３２では、領域３１と領域３３の中間の伝送能力となる。
【００４９】
なお、運用系光パス１０および冗長系光パス１１、１２を設定する場合、レイテンシを考慮し、一般的には運用系光パス１０の経路長の方が短く設定される。そのため、運用系光パス１０の方がより高い許容信号対雑音比を有する必要がある。すなわち、図４に示した設定テーブルにおいて、運用系光パス１０の方が冗長系光パス１１、１２よりも縦軸上方の領域に位置することになる。
【００５０】
以下では、クライアントからの通信リクエストに運用系光パス１０と冗長系光パス１１の２種類の光パスが含まれ、この２種類の光パスが図５に示すように、設定テーブルの同じ領域内に設定される場合について説明する。すなわち、運用系光パス１０と冗長系光パス１１の光信号が、同じ変調方式かつ同じ光周波数帯域幅で伝送される場合について説明する。このような条件となるのは、例えば、割り当てられた運用系光パス１０と冗長系光パス１１の経路が同じ距離となる場合などが考えられる。
【００５１】
伝送条件決定部３２３は、運用系光パスや複数の冗長系光パスなどの複数種類の光パスの、それぞれの変調方式と使用する光キャリアの個数を決定する。このとき、伝送条件決定部３２３は、複数種類の光パスにそれぞれ収容される光信号のうち、光ノード装置４００が備える光送受信器４１０が生成する光信号の種類数が最大となるように伝送条件を決定する。すなわち、伝送条件決定部３２３は、複数種類の光パスのスループットと許容される信号対雑音比に関する情報を用いて、光送受信器４１０の共有度が大きくなるように変調方式等の伝送条件を決定する。この共有度は下記の式で表される。
0006578870.tif 000002
【００５２】
上式中、信号種数は運用系や冗長系などの信号種類の数を表わす。したがって例えば、１台の光送受信器によって運用系光パスと冗長系光パスを収容する場合、共有度は２００％となる。
【００５３】
複数種類の光パスについて、変調方式や使用する光周波数帯域幅などの伝送条件（伝送パラメータ）を同一とすることによって、光分岐スイッチ部４２０における光分岐または光スイッチングによって複数種類の光信号を生成することが可能になる。そのため、光送受信器４１０の共有度は大きくなる。
【００５４】
伝送条件決定部３２３が、光送受信器４１０の共有度が最大となる伝送条件を決定した後に、光パス設計部３２０が備える割当順序決定部３２４が複数ある光パスリクエストの割り当ての順序を決定する。そして、光パス割当制御部３３０が光ノード装置４００に設定コマンドを通知するとともに、データベース部３１０を更新する。
【００５５】
次に、伝送条件決定部３２３の動作について、さらに詳細に説明する。図６は、伝送条件決定部３２３の動作を説明するためのフローチャートである。
【００５６】
伝送条件決定部３２３は、経路探索部３２１および信号対雑音比算出部３２２からスループットと許容信号対雑音比に関する情報を受け取る（ステップＳ１１０）。これらの情報と保有している設定テーブルによって、光送受信器の伝送条件を定める設定テーブル上の領域を仮決定する（ステップＳ１２０）。そして、運用系光パス１０と冗長系光パス１１が、設定テーブルの同一領域に含まれるか否かを判定する(ステップＳ１３０)。同一領域に含まれると判定した場合（ステップＳ１３０／ＹＥＳ）は、続けて伝送条件を決定する（ステップＳ１４０）。運用系光パス１０と冗長系光パス１１が設定テーブルの同一領域に含まれるので、仮決定したのと同じ伝送条件に決定する。なお、同一領域に含まれないと判定した場合（ステップＳ１３０／ＮＯ）は、第３の実施形態による動作フロー（ステップＳ２００）に移行する。
【００５７】
次に、伝送条件決定部３２３は、運用系光パス１０と冗長系光パス１１に収容される光信号を共有する方式を決定する（ステップＳ１５０）。具体的には、一の光送受信器が出力する光信号を分岐して複数の光信号を生成するか、複数の光送受信器を用いて複数の光信号を生成するか、のいずれかの方式を採用するかを決定する。運用系光パス１０と冗長系光パス１１が設定テーブルの同一領域に含まれる場合は、運用系光パス１０と冗長系光パス１１に対して同じ変調方式となり、かつ使用する光周波数帯域幅も同一となる。そのため、光信号の状態で光分岐または光スイッチにより冗長系光パスを生成する共有方式に決定する。
【００５８】
最後に、伝送条件決定部３２３は決定結果を、光パス割当制御部３３０を介して光ノード装置４００に通知する（ステップＳ１６０）。
【００５９】
なお、上記説明では、運用系光パス１０と冗長系光パス１１の２種類の光パスを設定することとした。これに限らず、運用系光パス１０および冗長系光パス１１と第２冗長系光パス１２の３種類の光パスを設定する場合であっても、本実施形態による光ネットワーク制御装置３００を用いることができる。
【００６０】
次に、本実施形態による光ネットワーク制御方法について説明する。
【００６１】
本実施形態による光ネットワーク制御方法においては、まず、光ネットワークを構成する光リンクと光ノード装置の情報であるネットワーク情報と、トラフィック要求を取得する。そして、このトラフィック要求を収容する複数種類の光パスのそれぞれの伝送条件を、ネットワーク情報およびトラフィック要求に基づいて、同一の伝送条件となる光パスの種類数が最大となるように決定する。
【００６２】
ここで、上述した伝送条件を決定する際に、まず、トラフィック要求とネットワーク情報から、光ネットワークの経路を算出する。この経路の経路長から、許容される光信号品質の劣化量である許容信号対雑音比を算出する。そして、トラフィック要求に含まれる伝送容量と許容信号対雑音比に基づいて、複数種類の光パスのそれぞれの伝送条件を決定する。
【００６３】
上述したように、本実施形態による光ネットワーク制御装置３００、光ノード装置４００、および光ネットワーク制御方法によれば、複数種類の光パスが設定されるエラスティック光ネットワークにおいて、光ノード装置のコストの増大を抑制することができる。
【００６４】
〔第３の実施形態〕
次に、本発明の第３の実施形態について説明する。第３の実施形態においては、光ネットワーク制御装置３００が備える伝送条件決定部３２３の動作が、第２の実施形態における場合と異なる。本実施形態に係る光ネットワーク制御装置３００および光ノード装置４００の構成は、第２の実施形態によるものと同様であるので、それらの説明は省略する。
【００６５】
伝送条件決定部３２３は第２の実施形態と同様に光送受信器の設定テーブルを備える。本実施形態においては、運用系光パスと冗長系光パスにおいて許容される信号対雑音比が大きく異なる場合における、伝送条件決定部３２３の動作について説明する。この場合、運用系光パス１０と冗長系光パス１１は、図７に示すように、設定テーブルの異なる領域に設定される。図７では、運用系光パス１０が領域３３に設定され、伝送パラメータは変調方式が１６ＱＡＭで１台の光送受信器による１キャリア伝送である場合を示している。一方、冗長系光パス１１は領域３２に設定され、伝送パラメータは変調方式が８ＱＡＭで２台の光送受信器による２キャリア伝送となる場合を示す。
【００６６】
本実施形態による光ネットワーク制御装置３００が備える伝送条件決定部３２３は、ネットワーク情報に含まれる光リンクにおける光周波数帯域の使用率情報および許容信号対雑音比の余裕度の少なくとも一方に基づいて、伝送条件を決定する。このネットワーク情報は、既設の光パスやリンクの情報および光ノード装置４００のリソース情報を含み、データベース部３１０に格納されている。
【００６７】
次に、本実施形態による伝送条件決定部３２３の動作について、さらに詳細に説明する。図８は、伝送条件決定部３２３の動作を説明するためのフローチャートである。
【００６８】
伝送条件決定部３２３は、経路探索部３２１および信号対雑音比算出部３２２からスループットと許容信号対雑音比に関する情報を受け取る（ステップＳ１１０）。これらの情報と保有している設定テーブルによって、光送受信器の伝送条件を定める設定テーブル上の領域を仮決定する（ステップＳ１２０）。そして、運用系光パス１０と冗長系光パス１１が、設定テーブルの同一領域に含まれるか否かを判定する(ステップＳ１３０)。
【００６９】
運用系光パス１０と冗長系光パス１１が設定テーブルの同一領域に含まれないと判定した場合（ステップＳ１３０／ＮＯ）、本実施形態においては２段階の共有ステップ（ステップＳ２１０、ステップＳ２２０）を実行する。この共有ステップにより、光ノード装置４００が備える光送受信器４１０の共有度を向上するための制御を行う。
【００７０】
１段階目の共有ステップＳ２１０においては、まず、対象となる光リンクにおける光周波数帯域の使用率情報をデータベース部３１０から取得する（ステップＳ２１１）。そして、この光周波数帯域の使用状況に余裕があるか否かを判定する（ステップＳ２１２）。
【００７１】
光周波数帯域の使用率が特定の閾値以下であり使用状況に余裕があると判定した場合（ステップＳ２１２／ＹＥＳ）、光周波数帯域のマージンを利用して運用系光パス１０の伝送条件を緩和し、多値度の低い伝送方式に決定する（ステップＳ１４０）。
【００７２】
この共有ステップＳ２１０により変更した後の設定テーブルを図９に示す。光周波数帯域のマージンを利用して設定変更した領域を拡張領域４１として示す。図７に示したように領域３３に含まれていた運用系光パス１０は、拡張領域４１に含まれるようになる。具体的には、１６ＱＡＭ変調方式を用いて１台の光送受信器による１キャリアで伝送していた運用系光パス１０を、８ＱＡＭ変調方式を用いて２台の光送受信器による２キャリアで伝送するように設定変更する。これにより、運用系光パス１０と冗長系光パス１１は同一の伝送条件となる。同一の伝送条件となると、光分岐スイッチ部４２０において光信号を光分岐または光スイッチすることによって冗長系光パスを生成することができるので、光送受信器４１０を共有することが可能になる。
【００７３】
ここで用いる光周波数帯域の使用率の閾値は、固定値であってもよいし、状況に合わせて可変値としてもよい。また、光周波数帯域の使用状況がフラグメンテーションと呼ばれる不連続な使用状況となる場合には、連続した光周波数帯域の空き状況を閾値として用いることができる。また、光パスのブロック率を閾値として用いてもよい。
【００７４】
一方、ステップＳ２１２において、光周波数帯域の使用率が閾値を超えており、光周波数帯域の使用状況に余裕がないと判定した場合（ステップＳ２１２／ＮＯ）、２段階目の共有ステップＳ２２０に移行する。
【００７５】
２段階目の共有ステップＳ２２０においては、まず、受信感度のマージン情報を算出する（ステップＳ２２１）。ここで、受信感度のマージン情報とは、波長に依存したマージンに関する情報である。光信号の波長毎に許容信号対雑音比に差が生じるので、これにより波長に依存したマージンが発生する。許容信号対雑音比の波長に依存する特性差は、光ファイバや光アンプの波長依存性が原因で生じる。この許容信号対雑音比の波長依存性によって、許容信号対雑音比に余裕度（過剰マージン）生じる場合がある。そこで、伝送条件決定部３２３は、許容信号対雑音比に余裕があるか否かを判定する（ステップＳ２２２）。
【００７６】
許容信号対雑音比に余裕があると判定した場合（ステップＳ２２２／ＹＥＳ）、この過剰マージンを利用して、冗長系光パスの伝送方式を運用系光パスと同じ伝送方式である多値度の高い伝送方式に決定する（ステップＳ１４０）。
【００７７】
この共有ステップＳ２２０により変更した後の設定テーブルを図１０に示す。許容信号対雑音比の過剰マージンを利用して設定変更した領域を拡張領域４２として示す。図７に示したように領域３２に含まれていた冗長系光パス１１は、拡張領域４２に含まれるようになる。具体的には、８ＱＡＭ変調方式を用いて２台の光送受信器による２キャリアで伝送していた冗長系光パスを、１６ＱＡＭ変調方式を用いて１台の光送受信器による１キャリアで伝送するように設定変更する。これにより、運用系光パス１０と冗長系光パス１１は同一の伝送条件となる。同一の伝送条件となると、光分岐スイッチ部４２０において光信号を光分岐または光スイッチすることによって冗長系光パスを生成することができるので、光送受信器４１０を共有することが可能になる。
【００７８】
上述した２段階の共有ステップ（ステップＳ２１０、Ｓ２２０）において、いずれの条件も満たさない場合（ステップＳ２１２／ＮＯかつステップＳ２２２／ＮＯ）は、複数の光送受信器を用いて複数の光信号を生成する方式に決定する（ステップＳ１５０）。
【００７９】
上記説明では、光周波数帯域の使用状況の余裕度を判定するステップＳ２１０を行った後に、許容信号対雑音比の余裕度を判定するステップＳ２２０を行うこととした。しかし、これに限らず、許容信号対雑音比の余裕度を判定するステップＳ２２０を行った後に、光周波数帯域の使用状況の余裕度を判定するステップＳ２１０を行うこととしてもよい。
【００８０】
上述したように、本実施形態による光ネットワーク制御装置３００によれば、光送受信器４１０の共有度を増大させることができるので、複数種類の光パスが設定される光ネットワークにおいて、光ノード装置のコストの増大をさらに抑制することができる。
【００８１】
〔第４の実施形態〕
次に、本発明の第４の実施形態について説明する。第４の実施形態においては、光ネットワーク制御装置３００が備える伝送条件決定部３２３の動作が、第２の実施形態および第３の実施形態における場合と異なる。本実施形態に係る光ネットワーク制御装置３００および光ノード装置４００の構成は、第２の実施形態によるものと同様であるので、それらの説明は省略する。
【００８２】
伝送条件決定部３２３は第２の実施形態および第３の実施形態と同様に光送受信器の設定テーブルを備える。本実施形態においては、運用系光パス１０、冗長系光パス１１、および第２冗長系光パス１２の３種類の光パスにおいて、それぞれ許容される信号対雑音比が大きく異なる場合における、伝送条件決定部３２３の動作について説明する。この場合、運用系光パス１０、冗長系光パス１１、および第２冗長系光パス１２は、図１１の左側に示すように、設定テーブルの異なる領域に設定される。
【００８３】
運用系光パス１０は経路長が短いため変調方式は多値度が大きい１６ＱＡＭ方式とし、１台の光送受信器による１キャリア伝送となる。したがって、図１１の左側に示すように、運用系光パス１０は設定テーブルの領域３３に設定される。冗長系光パス１１は、運用系光パス１０よりも経路長が長くなるため、変調方式は多値度を下げた８ＱＡＭ方式とし、２台の光送受信器による２キャリア伝送となる。したがって、冗長系光パス１１は設定テーブルの領域３２に設定される。そして、第２冗長系光パス１２は、冗長系光パス１１よりもさらに経路長が長いため、変調方式は多値度がさらに低いＱＰＳＫ方式とし、３台の光送受信器による３キャリア伝送となる。すなわち、第２冗長系光パス１２は設定テーブルの領域３１に設定される。
【００８４】
伝送条件決定部３２３は、運用系光パス１０、冗長系光パス１１、および第２冗長系光パス１２に対する光送受信器４１０の伝送条件を決定する。このとき、伝送条件決定部３２３は、まず、第３の実施形態による動作フロー（図８参照）により、設定テーブルの各対象領域に対する拡張領域４１、４２をそれぞれ算出する。拡張領域４１は光周波数帯域のマージンを利用して得られる領域であり、拡張領域４２は受信感度の過剰マージンを利用して得られる領域である。
【００８５】
次に、伝送条件決定部３２３は、運用系光パス１０、冗長系光パス１１、および第２冗長系光パス１２に対してそれぞれ設定されている設定条件のうち、少なくとも２個以上の設定条件が、設定テーブルの同一領域に含まれるか否かを判定する。伝送条件決定部３２３は拡張領域４１、４２を考慮することによって、運用系光パス１０、冗長系光パス１１、および第２冗長系光パス１２に対して共有可能な光送受信器４１０の変調方式や使用する光周波数帯域などの伝送条件（伝送パラメータ）を決定する。
【００８６】
このときの伝送条件決定部３２３の動作を、図１２に示したフローチャートを用いてさらに詳細に説明する。
【００８７】
伝送条件決定部３２３は、まず、運用系光パス１０、冗長系光パス１１、および第２冗長系光パス１２について、設定テーブル上の領域を仮決定する（ステップＳ３１０）。そして、光周波数帯域のマージンおよび受信感度の過剰マージンを算出する（ステップＳ３２０）。
【００８８】
次に、全ての光パスの設定条件が単一の領域に含まれるか否かを判定する（ステップＳ３３０）。全ての設定条件が単一の領域に含まれると判定した場合（ステップＳ３３０／ＹＥＳ）、続いて、全ての設定条件を含む単一領域が２個以上あるか否かを判定する（ステップＳ３４０）。このような単一領域が２個以上はないと判定した場合（ステップＳ３４０／ＮＯ）、その単一領域に定められた伝送条件に決定する（ステップＳ３５０）。すなわち、変調方式および使用する光送受信器の個数を決定する。
【００８９】
次に、伝送条件決定部３２３は、運用系光パス１０、冗長系光パス１１、および第２冗長系光パス１２に収容される光信号を共有する方式を決定する（ステップＳ３６０）。具体的には、一の光送受信器が出力する光信号を分岐して複数の光信号を生成するか、複数の光送受信器を用いて複数の光信号を生成するか、のいずれかの方式を採用するかを決定する。全ての光パスが単一の領域に含まれる場合は、運用系光パス１０、冗長系光パス１１、および第２冗長系光パス１２に対して同じ変調方式となり、かつ使用する光周波数帯域幅が同一となる。そのため、光信号の状態で光分岐または光スイッチにより冗長系光パスを生成する共有方式に決定する。
【００９０】
全ての光パスの設定条件を含む単一領域が２個以上あると判定した場合（ステップＳ３４０／ＹＥＳ）、許容される信号対雑音比が大きい設定領域を選択する（ステップＳ３４１）。これは、許容信号対雑音比が大きい伝送条件の方が、光周波数の利用効率が大きいからである。
【００９１】
また、全ての光パスの設定条件が単一の領域には含まれない場合（ステップＳ３３０／ＮＯ）、２個以上の設定条件が同一の領域に含まれるか否かを判定する（ステップＳ３７０）。２個以上の設定条件が同一の領域に含まれないと判定した場合（ステップＳ３７０／ＮＯ）は、複数の光送受信器を用いて複数の光信号を生成する方式に決定する（ステップＳ３６０）。
【００９２】
２個以上の光パスの設定条件が同一の領域に含まれると判定した場合（ステップＳ３７０／ＹＥＳ）、続いて、２個以上の設定条件を含む単一領域が２個以上あるか否かを判定する（ステップＳ３８０）。
【００９３】
２個以上の設定条件を含む単一領域が２個以上あると判定した場合（ステップＳ３８０／ＹＥＳ）、許容される信号対雑音比が大きい設定領域を選択する（ステップＳ３８１）。これは、許容信号対雑音比が大きい伝送条件の方が、光周波数の利用効率が大きいからである。
【００９４】
２個以上の設定条件を含む単一領域が２個以上はないと判定した場合（ステップＳ３８０／ＮＯ）、その単一の領域に定められた伝送条件に決定し（ステップＳ３５０）、その場合の共有方式を決定する（ステップＳ３６０）。
【００９５】
図１１の右側領域に、このような場合の設定テーブルの設定状態を示す。領域３３の拡張領域４２を冗長系光パス１１に利用することによって、運用系光パス１０と冗長系光パス１１を同一の伝送条件に設定することができることがわかる。すなわち、運用系光パス１０および冗長系光パス１１のいずれにおいても、１６ＱＡＭ変調方式を用いて１台の光送受信器による１キャリアで伝送することが可能になる。
【００９６】
このように、運用系光パス１０と冗長系光パス１１が同じ領域３３に設定され、第２冗長系光パス１２だけが異なる領域３１に設定される場合、運用系光パス１０と冗長系光パス１１に対しては伝送条件が同一になる。そのため、光分岐スイッチ部４２０において光信号を光分岐または光スイッチすることによって、運用系光パス１０から冗長系光パス１１を生成することができる。その結果、運用系光パス１０と冗長系光パス１１で光送受信器４１０を共有することが可能になる。
【００９７】
なお、光送受信器４１０を共有することができない第２冗長系光パス１２は、光ノード装置４００が備えるクライアント処理部４３０によって新たに形成し、別の光送受信器を使用する。
【００９８】
なお、冗長系光パス１１と第２冗長系光パス１２が設定テーブルの同じ領域に設定され、運用系光パス１０だけが異なる領域に設定される場合であっても、本実施形態による光ネットワーク制御装置３００を用いることができる。すなわち、この場合は冗長系光パス１１と第２冗長系光パス１２が同じ伝送条件となるため、光分岐スイッチ部４２０において光信号を光分岐または光スイッチすることによって、冗長系光パスを生成することができる。したがって、冗長系光パス１１と第２冗長系光パス１２で光送受信器４１０を共有することが可能になる。この場合、光送受信器を共有できない運用系光パス１０は、光ノード装置４００が備えるクライアント処理部４３０によって新たに形成する。
【００９９】
上述したように、本実施形態による光ネットワーク制御装置３００によれば、光送受信器４１０の共有度を増大させることができるので、複数種類の光パスが設定される光ネットワークにおいて、光ノード装置のコストの増大をさらに抑制することができる。
【０１００】
本発明は上記実施形態に限定されることなく、特許請求の範囲に記載した発明の範囲内で、種々の変形が可能であり、それらも本発明の範囲内に含まれるものであることはいうまでもない。
【０１０１】
上記の実施形態の一部又は全部は、以下の付記のようにも記載されうるが、以下には限られない。
【０１０２】
（付記１）光ネットワークを構成する光リンクと光ノード装置の情報であるネットワーク情報を格納するネットワーク情報格納手段と、トラフィック要求を受付け、前記トラフィック要求を収容する複数種類の光パスのそれぞれの伝送条件を、前記ネットワーク情報および前記トラフィック要求に基づいて、同一の伝送条件となる前記光パスの種類数が最大となるように決定する光パス設計手段、とを有する光ネットワーク制御装置。
【０１０３】
（付記２）前記光パス設計手段は、決定した伝送条件に基づいて、前記光ノード装置における前記複数種類の光パスの生成方式を決定する付記１に記載した光ネットワーク制御装置。
【０１０４】
（付記３）前記光パス設計手段は、前記トラフィック要求と前記ネットワーク情報から、前記光ネットワークの経路を算出する経路探索手段と、前記経路の経路長から、許容される光信号品質の劣化量である許容信号対雑音比を算出する信号対雑音比算出手段と、前記トラフィック要求に含まれる伝送容量と前記許容信号対雑音比に基づいて、前記複数種類の光パスのそれぞれの前記伝送条件を決定する伝送条件決定手段、とを備える付記１または２に記載した光ネットワーク制御装置。
【０１０５】
（付記４）前記伝送条件決定手段は、前記ネットワーク情報に含まれる前記光リンクにおける光周波数帯域の使用率情報および前記許容信号対雑音比の余裕度の少なくとも一方に基づいて、前記伝送条件を決定する付記３に記載した光ネットワーク制御装置。
【０１０６】
（付記５）トラフィック要求を収容する複数種類の光パスのそれぞれの伝送条件であって、同一の伝送条件となる前記光パスの種類数が最大となるように決定された伝送条件に応じて、出力する光信号の変調方式および使用する光周波数帯域幅を可変する機能を有する光ノード装置。
【０１０７】
（付記６）任意の容量のクライアント信号を、前記容量に応じた変調方式を用いて収容した光信号を送出する光送受信器と、前記光送受信器に入出力する光信号を、分岐する動作およびスイッチする動作のいずれかを行う光分岐スイッチ手段と、前記決定された伝送条件に基づいて、前記光送受信器と前記光分岐スイッチ手段をそれぞれ制御する光ノード制御手段、とを有する付記５に記載した光ノード装置。
【０１０８】
（付記７）前記光ノード制御手段は、一の前記光送受信器が出力する光信号を前記光分岐スイッチ手段によって分岐して複数の光信号を生成するように、前記光送受信器および前記光分岐スイッチ手段を制御する付記６に記載した光ノード装置。
【０１０９】
（付記８）前記光ノード制御手段は、複数の前記光送受信器を用いて複数の光信号を生成するように、前記光送受信器および前記光分岐スイッチ手段を制御する付記６に記載した光ノード装置。
【０１１０】
（付記９）光ネットワークを構成する光リンクと光ノード装置の情報であるネットワーク情報と、トラフィック要求を取得し、前記トラフィック要求を収容する複数種類の光パスのそれぞれの伝送条件を、前記ネットワーク情報および前記トラフィック要求に基づいて、同一の伝送条件となる前記光パスの種類数が最大となるように決定する光ネットワーク制御方法。
【０１１１】
（付記１０）前記伝送条件を決定する際に、前記トラフィック要求と前記ネットワーク情報から、前記光ネットワークの経路を算出し、前記経路の経路長から、許容される光信号品質の劣化量である許容信号対雑音比を算出し、前記トラフィック要求に含まれる伝送容量と前記許容信号対雑音比に基づいて、前記複数種類の光パスのそれぞれの伝送条件を決定する付記９に記載した光ネットワーク制御方法。
【０１１２】
（付記１１）前記伝送条件決定手段は、前記複数種類の光パスにそれぞれ収容される光信号のうち、前記光ノード装置が備える光送受信器が生成する前記光信号の種類数が最大となるように前記伝送条件を決定する付記３に記載した光ネットワーク制御装置。
【０１１３】
（付記１２）前記伝送条件は、少なくとも変調方式を含む付記１から４および１１のいずれか一項に記載した光ネットワーク制御装置。
【０１１４】
（付記１３）前記伝送条件は、光周波数帯域幅をさらに含む付記１２に記載した光ネットワーク制御装置。
【０１１５】
（付記１４）前記複数種類の光パスは、冗長化構成における運用系光パスおよび冗長系光パスを含む付記１から４および１１から１３のいずれか一項に記載した光ネットワーク制御装置。
【０１１６】
（付記１５）前記伝送条件を決定する際に、前記ネットワーク情報に含まれる前記光リンクにおける光周波数帯域の使用率情報および前記許容信号対雑音比の余裕度の少なくとも一方に基づいて、前記伝送条件を決定する付記１０に記載した光ネットワーク制御方法。
【符号の説明】
【０１１７】
１００    光ネットワーク制御装置
１１０    ネットワーク情報格納手段
１２０    光パス設計手段
２００    光ネットワークシステム
３００    光ネットワーク制御装置
３１０    データベース部
３１１    パス／リンク情報格納部
３１２    光ノード情報格納部
３２０    光パス設計部
３２１    経路探索部
３２２    信号対雑音比算出部
３２３    伝送条件決定部
３２４    割当順序決定部
３３０    光パス割当制御部
４００    光ノード装置
４１０    光送受信器
４１１    クライアントインターフェース
４１２    フレーマ
４１３    ラインインターフェース
４２０    光分岐スイッチ部
４３０    クライアント処理部
４４０    光ノード制御部
１０    運用系光パス
１１    冗長系光パス
１２    第２冗長系光パス
２０    トラフィック要求
３１、３２、３３    領域
４１、４２    拡張領域
【図１】
0006578870.tif 000003
【図２Ａ】
0006578870.tif 000004
【図２Ｂ】
0006578870.tif 000005
【図３】
0006578870.tif 000006
【図４】
0006578870.tif 000007
【図５】
0006578870.tif 000008
【図６】
0006578870.tif 000009
【図７】
0006578870.tif 000010
【図８】
0006578870.tif 000011
【図９】
0006578870.tif 000012
【図１０】
0006578870.tif 000013
【図１１】
0006578870.tif 000014
【図１２】
0006578870.tif 000015